(57)【特許請求の範囲】
【請求項１】
釣用仕掛けに使用する水中浮きであって、
概略円盤状の基体とこの基体の中央部に立設する突状部とを含む浮き本体から成り、前記基体および前記突状部を上下に貫通する糸通し孔を有し、
前記糸通し孔は、前記浮き本体の中心部から偏寄すると共に、上下方向に対して傾斜していることを特徴とする釣用水中浮き。
【請求項２】
前記基体は、前記突状部の両側に張り出し、前記糸通し孔に対して傾斜角度を持つ小翼状に形成されていることを特徴とする請求項１に記載の釣用水中浮き。
【発明の詳細な説明】
【０００１】
【発明の属する技術分野】
本発明は、海釣等で使用する釣用水中浮きに関する。
【０００２】
【従来の技術】
磯釣り等の釣りにおいて、たとえば図５に示すような釣用仕掛け１０を使用する。この釣用仕掛け１０の代表的構成例として道糸（釣糸）１１を順次、シモリ玉１２、当たり浮き１３、クッション（Ｏクッション）１４、水中浮き１５およびクッション（Ｔクッション）１６にそれぞれ挿通させるというものである。
【０００３】
この例の釣用仕掛け１０は所謂「遊動仕掛け」と称し、当たり浮き１３および水中浮き１５が道糸１１に沿って所定範囲内で移動可能になっている。また道糸１１の先端には、サルカン１７を介してハリス１８が結合すると共に、該ハリス１８の先端には釣針１９が設けられている。
【０００４】
かかる仕掛け１０において特に水中浮き１５は、黒檀等の比重が１よりも大きい木材を用いて、たとえば卵型等をはじめ種々の形状に形成される。このような水中浮き１５を使用することで、仕掛け１０における当たり浮き１３の下側に大きな抵抗物、すなわち水中浮き１５が設定されるため、潮の流れに仕掛け１０を乗り易くすることができる。
【０００５】
仕掛け１０の実使用において水中浮き１５は道糸１１に沿って遊動するが、その際、水中浮き１５と当たり浮き１３あるいはサルカン１７との間にクッション１４またはクッション１６を設けておくことで、これらのクッション１４，１６が緩衝作用をする。これにより水中浮き１５等の損傷等を防止し、仕掛け１０の適正機能を保証することができる。
【０００６】
【発明が解決しようとする課題】
しかしながら従来の仕掛け１０において、流れのある水中のポイントを狙って仕掛け１０を投入すると図６の矢印のように水流抵抗を受けて狙ったポイントから大きくずれ、あるいは狙った棚に届かないことがある。これは、特に流れの速いポイントを狙った場合に顕著になり、釣果に大きく影響する。
【０００７】
一方、水流抵抗の影響を抑制して仕掛け１０を沈み易くするために重量の重い水中浮き１５を使用すると、この場合当たり浮き１３は必然的に、そのような水中浮き１５に見合った重量のものにしなければならない。すると当然、当たり浮き１３の浮力も大きくなり、魚に対する引込み抵抗が大きくなる結果、魚が食い渋って釣果に著しい影響を与える。
【０００８】
本発明はかかる実情に鑑み、流れの速いポイントでも有効に対応可能で、つねに高い釣果を期待し得る釣用水中浮きを提供することを目的とする。
【０００９】
【課題を解決するための手段】
本発明の釣用水中浮きは、釣用仕掛けに使用する水中浮きであって、概略円盤状の基体とこの基体の中央部に立設する突状部とを含む浮き本体から成り、前記基体および前記突状部を上下に貫通する糸通し孔を有し、前記糸通し孔は、前記浮き本体の中心部から偏寄すると共に、上下方向に対して傾斜していることを特徴とする。
【００１１】
また、本発明の釣用水中浮きにおいて、前記基体は、前記突条部の両側に張り出し、前記糸通し孔に対して傾斜角度を持つ小翼状に形成されていることを特徴とする。
【００１３】
【作用】
本発明の釣用水中浮きによれば、水中にて水流をつかむように形状等が工夫されている。つまり基体および突条部を含む浮き本体の中心部から偏寄すると共に上下方向に対して傾斜した糸通し孔を有し、浮き本体が水中では前傾姿勢をとるようにセットされる。これにより流れのある水中で小翼状の基体が水流抵抗を受けることで、その水流に対して潜行しようとする力が働き、流れのある水中でも狙ったポイントに迅速にしかも的確に仕掛けを沈めることができる。
【００１４】
【発明の実施の形態】
以下、図１〜図４に基づき、従来例と実質的に同一または対応する部材には同一符号を用いて、本発明による釣用水中浮きの好適な実施の形態を説明する。
【００１５】
図１は、この実施形態による釣用水中浮きの外観構成例を示している。この水中浮きは、前述した釣り用仕掛け１０等に適用可能であり、したがって実使用において既に図５に示したように上下のクッション１４およびクッション１６間で道糸１１に沿って遊動するようになっている。
【００１６】
本発明の水中浮きは概略円盤状の基体２と、図２からも明らかなように基体２の中央部に立設する突条部３と、を含む浮き本体１から成る。基体２の上面２ａには平坦部を有し、この上面２ａで水流を受けることができる。突条部３は、上部が先細になるように基体２の中央部から突き上がっている。浮き本体１は好適には、合成樹脂等の材料により一体成形される。その比重は１よりも大きいものが好ましい。
【００１７】
図３（Ａ）に示すように基体２および突条部３を上下に貫通する糸通し孔４を有する。なお、図３（Ａ）は側面図、図３（Ｂ）は上面図、図３（Ｃ）は底面図である。糸通し孔４はそれ自体ストレート孔（直線状）でよいが、浮き本体１の中心部から偏寄すると共に上下方向に対して傾斜している。
【００１８】
基体２は突条部３の両側に張り出し、小翼状に形成されている。また、この小翼状の基体２は図３（Ｂ）から明らかなように、その上面２ａが糸通し孔４に対して一定の傾斜角度を持つ。このように基体２および糸通し孔４相互間で傾斜角度を持たせることで、仕掛けにセットされた水中浮きに前傾姿勢をとらせ、あるいはとり易くする。
【００１９】
また、糸通し孔４の下部周囲には錘５が取り付けられている。錘５の中心部には糸通し孔４と整合するように貫通孔５ａが形成されており、つまり貫通孔５ａよって糸通し孔４の一部を構成する。錘５は好適には、真鍮等の金属材料により成形され、浮き本体１に形成された取付孔に嵌合固定される。錘５の固定には、適宜の接着剤等を用いることができる。
【００２０】
上記構成で成る釣用水中浮きによれば、実使用において、例えば図５に示した釣り用仕掛け１０における水中浮き１５の代わりにセットされる。この場合、前述したように基体２および糸通し孔４相互間で傾斜角度を持たせることで、水中にセットされた水中浮きは前傾姿勢をとらせ、あるいはとり易くすることができる。このとき基体２の上面２ａは前下がり状態になり、これにより水中にて水流をつかむようにすることができる。
【００２１】
たとえば図４に示すように流れのある水中に仕掛け１０をセットすると、小翼状の基体２の上面２ａで水流抵抗を受けることで、水中浮きに対してその水流に潜行しようとする矢印のような力が働く。このように流れのある水中でも水流に流されずに、狙ったポイントに迅速にしかも的確に仕掛け１０を沈めることができる。この場合流れが速い程、潜行させる力が強く働くため如何なる流速のポイントにおいても有効に対応することができる。
【００２２】
上記のように水中にて水流をつかむように形状等を工夫することで、水中浮き自体が小さく（すなわち、軽量）ても優れた潜行性能を発揮し、深い棚を的確に狙うことができる。また、水中浮きを軽くことと相まって当たり浮き１３の浮力を相対的に小さくすることができる。したがって、魚に対する引込み抵抗を小さくする結果、魚が食い渋るようなシビアな釣りにおいても大きな釣果を期待することができる。
【００２３】
なお、上記実施形態において本発明の釣用中通し浮き１を仕掛け１０に適用した場合の例を説明したが、本発明の釣用中通し浮きは、その他の態様の仕掛けや浮きを使用する釣りにおいて効果的に適用することができる。
【００２４】
【発明の効果】
以上説明したように本発明によれば、この種の釣用水中浮きにおいて、水中にて水流をつかむように形状等を工夫し、流れのある水中で水流に対して潜行しようとする力が働き、狙ったポイントに迅速にしかも的確に仕掛けを沈めることができる。目標ポイントに素早く仕掛けを沈めることで、高い釣果を期待し得る等の利点を有している。
【図面の簡単な説明】
【図１】本発明の釣用水中浮きの実施形態における外観構成例を示す斜視図である。
【図２】本発明の釣用水中浮きの実施形態における正面図である。
【図３】本発明の釣用水中浮きの構成例を示す（Ａ）は側面図、（Ｂ）は上面図および（Ｃ）は底面図である。
【図４】本発明の釣用水中浮きの作用を示す図である。
【図５】従来の釣用仕掛けの構成例を示す図である。
【図６】従来の釣用水中浮きの作用を示す図である。
【符号の説明】
１    浮き本体
２    基体
２ａ  上面
３    突条部
４    糸通し孔
５    錘
５ａ  貫通孔
１０    仕掛け
１１    道糸（釣糸）
１２    シモリ玉
１７    サルカン
１８    ハリス
【図１】
0003789626.tif 000002
【図２】
0003789626.tif 000003
【図３】
0003789626.tif 000004
【図４】
0003789626.tif 000005
【図５】
0003789626.tif 000006
【図６】
0003789626.tif 000007